(57)【要約】【課題】容器の上下方向および側面方向のどちらの方向に対しても耐衝撃性に優れる化粧料容器を提供する。【解決手段】本発明の化粧料容器は、上面にレフィル収容凹部１ａを有する容器本体１と、化粧料（Ｅ）が充填された中皿２との間に、この中皿２を収容する中皿収容凹部を有する浅皿状の中皿トレー４が配置されている。この中皿トレー４は、底部４ｂと、この底部４ｂの縁部から立設された側部４ａと、この側部４ａの上端から外側に向かって延設された鍔部４ｃとからなり、上記容器本体１のレフィル収容凹部１ａ内に完全に収容されているとともに、上記収容された状態で、上記鍔部４ｃの外縁がレフィル収容凹部１ａの側面に軽接触することにより、この中皿トレー４の側部４ａとレフィル収容凹部１ａの側面との間に、緩衝用の空間（Ｓ３）が必ず形成されるようになっている。【選択図】図１
2014004246.tif 000002
【特許請求の範囲】
【請求項１】
化粧料が充填される凹部を有する中皿と、この中皿を収容する中皿収容凹部を有する中皿トレーと、上面に上記中皿と中皿トレーとからなるレフィルを収容・保持するためのレフィル収容凹部が形成された容器本体と、この容器本体の上面を蓋する蓋体とを備え、上記中皿トレーは、底部と、この底部の縁部から立設された側部と、この側部の上端から外側に向かって延設された鍔部とからなり、上記底部には、上記中皿の底板との間に隙間を形成するための凹部領域と、上記容器本体のレフィル収容凹部の底面との間に隙間を形成するための凸部領域とが設けられ、この凸部領域と上記中皿の底板とが、粘着剤を介して接着されているとともに、この中皿トレーが、上記容器本体のレフィル収容凹部内に完全に収容されるようになっていることを特徴とする化粧料容器。
【請求項２】
上記容器本体のレフィル収容凹部の開口縁部が、この開口の側面から内側に向かって張り出すフランジ状に形成され、このフランジ状の開口縁部の下側に、上記中皿トレーの鍔部が、上方向への抜け出し防止状に嵌入され、この中皿トレーの鍔部の外縁が、上記レフィル収容凹部の側面に軽接触することにより、上記中皿トレーの側部とレフィル収容凹部の側面との間に、緩衝用の空間が形成されている請求項１記載の化粧料容器。
【請求項３】
上記中皿トレーの鍔部が、上記側部から外側への突出幅の大きい大突出部と、突出幅が小さいかまたは零の小突出部とから構成され、上記大突出部が形成された部分の鍔部周縁の長さが、この鍔部全体の周縁の長さの１／２以下に設定されている請求項１または２記載の化粧料容器。
【請求項４】
上記中皿トレーが、厚み０．１〜１．５ｍｍの樹脂製シートを真空成形することにより浅皿状に賦形されたものである請求項１〜３のいずれか一項に記載の化粧料容器。
【発明の詳細な説明】
【技術分野】
【０００１】
本発明は、コンパクトケース等の化粧料容器に関するものである。
【背景技術】
【０００２】
従来、アイシャドウやファンデーション等の固形化粧料を充填した中皿（化粧皿）を収容して携帯する化粧料容器として、コンパクトケース等が用いられている。このコンパクトケースは、化粧料が充填された中皿と、上面に上記中皿を収容するための凹部（中皿収容凹部）が形成された容器本体と、この容器本体の上面を蓋する蓋体とから構成されている。
【０００３】
また、コンパクトケースのなかには、上記中皿を中皿収容凹部に交換可能に収容したものがある。例えば、図７のように、容器本体１１（蓋体は図示省略）に形成された中皿収容凹部１１ａの内部（凹部の壁面１１ｂ）に、左右一対の突条１１ｃ，１１ｃ’（係合部：ただし図７では右側の突条１１ｃ’は見えない）を設けるとともに、化粧料１０が充填された中皿１２の周側壁１２ａの外周面に、同じく左右一対の凹溝１２ｂ，１２ｂ’（被係合部：ただし図７では左側の凹溝１２ｂ’は見えない）を設け、この中皿１２を上記容器本体１１の中皿収容凹部１１ａに押し込んで、各凹溝１２ｂ，１２ｂ’をそれぞれ対峙する各突条１１ｃ’，１１ｃに係合させることにより、上記中皿１２を着脱自在に保持する化粧料容器が知られている。
【０００４】
ところで、上記コンパクトケース等、固形化粧料を充填した中皿を収容した化粧料容器では、これを床上等に落下させてしまうと、この落下時の衝撃によって、中皿内の固形化粧料がひび割れたり、損傷したりするため、化粧料容器の容器本体と固形化粧料を収容する中皿との間に、種々の緩衝機構（衝撃緩和あるいは衝撃吸収手段）を設け、この緩衝機構で落下時の衝撃を和らげるようにした構成が多数提案されている。
【０００５】
例えば、特許文献１には、図８に示すような、中皿２３を、底面の略中央が盛り上がり状に形成された浅皿状の薄肉トレー（中皿トレー）２２に収納し、この中皿２３を収納した状態の上記薄肉トレー２２を、トレー２２の外周面に設けられた被係合部（凸部２２ａ）と容器本体２１の収容部（収容凹部２１ａ）の側面に形成された係合部（凹部２１ｂ）とを係合させて収容する化粧料容器２０が開示されている。
【０００６】
また、特許文献２には、図９に示すような、中皿３３を、薄い樹脂シートからなる衝撃吸収薄肉中皿枠３２の内に装着し、これを容器本体３１の収納凹所３１ａに収納して、上記衝撃吸収薄肉中皿枠３２の外周面と収納凹所３１ａの内周面との間に空隙を設けるとともに、上記衝撃吸収薄肉中皿枠３２を、その底面に設けられた突条３２ａを上記収納凹所３１ａの内底面に当接させて収納し、この衝撃吸収薄肉中皿枠３２と中皿３３とを、互いに対向する側面に設けられた突部３２ｂ（係合部−衝撃吸収薄肉中皿枠側）と凹部３３ａ（被係合部−中皿側）とを係合させることにより掛止した化粧料容器３０が開示されている。
【先行技術文献】
【特許文献】
【０００７】
【特許文献１】実開平５−５００９号公報
【特許文献２】特開平９−１９１９２８号公報
【発明の概要】
【発明が解決しようとする課題】
【０００８】
しかしながら、上記のような構成の化粧料容器をもってしても、依然として、耐衝撃性（耐落下衝撃性能）は、化粧品メーカー等が要望するレベルに達していないのが現状である。特に、上記従来の化粧料容器は、横向きの落下（容器側面を下にした落下）に対して弱い傾向がみられるため、その耐衝撃性の改善が望まれている。
【０００９】
本発明は、このような事情に鑑みなされたもので、容器の上下方向および側面方向のどちらの方向に対しても耐衝撃性に優れる化粧料容器の提供をその目的とする。
【課題を解決するための手段】
【００１０】
上記の目的を達成するため、本発明は、化粧料が充填される凹部を有する中皿と、この中皿を収容する中皿収容凹部を有する中皿トレーと、上面に上記中皿と中皿トレーとからなるレフィルを収容・保持するためのレフィル収容凹部が形成された容器本体と、この容器本体の上面を蓋する蓋体とを備え、上記中皿トレーは、底部と、この底部の縁部から立設された側部と、この側部の上端から外側に向かって延設された鍔部とからなり、上記底部には、上記中皿の底板との間に隙間を形成するための凹部領域と、上記容器本体のレフィル収容凹部の底面との間に隙間を形成するための凸部領域とが設けられ、この凸部領域と上記中皿の底板とが、粘着剤を介して接着されているとともに、この中皿トレーが、上記容器本体のレフィル収容凹部内に完全に収容されるようになっている化粧料容器を第１の要旨とする。
【００１１】
また、本発明は、そのなかでも、上記容器本体のレフィル収容凹部の開口縁部が、この開口の側面から内側に向かって張り出すフランジ状に形成され、このフランジ状の開口縁部の下側に、上記中皿トレーの鍔部が、上方向への抜け出し防止状に嵌入され、この中皿トレーの鍔部の外縁が、上記レフィル収容凹部の側面に軽接触することにより、上記中皿トレーの側部とレフィル収容凹部の側面との間に、緩衝用の空間が形成されている化粧料容器を第２の要旨とする。
【００１２】
さらに、本発明は、そのなかでも、特に、上記中皿トレーの鍔部が、上記側部から外側への突出幅の大きい大突出部と、突出幅が小さいかまたは零の小突出部とから構成され、上記大突出部が形成された部分の鍔部周縁の長さが、この鍔部全体の周縁の長さの１／２以下に設定されている化粧料容器を第３の要旨とする。
【００１３】
そして、本発明は、そのなかでも、上記中皿トレーが、厚み０．１〜１．５ｍｍの樹脂製シートを真空成形することにより浅皿状に賦形された化粧料容器を第４の要旨とする。
【発明の効果】
【００１４】
すなわち、本発明の化粧料容器では、化粧料が充填された中皿とこれを収容する容器本体のレフィル収容凹部との間に、底部と、この底部の縁部から立設された側部と、この側部の上端から外側に向かって延設された鍔部とからなる浅皿状の中皿トレーが配置されている。そして、この中皿トレーの底部には、上記中皿とレフィル収容凹部との間のレフィル収容凹部側（下側）に隙間を形成する凸部領域と、上記中皿とレフィル収容凹部との間の中皿側（上側）に隙間を形成する凹部領域とが設けられており、上記凸部領域と上記中皿の底板とが、粘着剤を介して接着されている。そのため、上記中皿は、容器本体（レフィル収容凹部）に対して隙間を空けた状態（すなわち、宙に浮いた状態）で収容・保持される。これにより、本発明の化粧料容器は、容器本体の上下（天地）方向から衝撃や揺れ等を受けた場合、その振動と衝撃は、上記のように隙間を空けて保護されている中皿に直接伝わらず、この中皿トレーの撓み（可撓性）と中皿を固定する粘着剤部分の弾性により、吸収・緩和される。
【００１５】
さらに、上記化粧料容器は、上記中皿が、鍔部を有する中皿トレーに収容され、この中皿トレーが、上記容器本体のレフィル収容凹部内に完全に収容されるようになっている。そのため、上記中皿トレーがレフィル収容凹部に収容された状態で、この中皿トレーの側部とその周囲の上記レフィル収容凹部の側面との間に、必ず上記鍔部の突出幅以上の隙間が形成されることになる。これにより、本発明の化粧料容器は、容器本体の左右（水平）方向から衝撃や揺れ等を受けた場合は、上記中皿トレーの鍔部が充分に撓んで、外部からの振動および衝撃を吸収・緩和することができる。したがって、本発明の化粧料容器は、前記容器本体の上下（天地）方向の耐衝撃性が向上することと相俟って、どの方向からの衝撃等に対しても、従来品に比べ耐衝撃性が向上し、携行時や使用時に発生する大きな衝撃等を受けた場合でも、中皿に充填された化粧料が破損することを防止することができる。
【００１６】
また、本発明の化粧料容器のなかでも、上記容器本体のレフィル収容凹部の開口縁部が、この開口の側面から内側に向かって張り出すフランジ状に形成され、このフランジ状の開口縁部の下側に、上記中皿トレーの鍔部が、上方向への抜け出し防止状に嵌入され、この中皿トレーの鍔部の外縁が、上記レフィル収容凹部の側面に軽接触することにより、上記中皿トレーの側部とレフィル収容凹部の側面との間に、緩衝用の空間が形成されている化粧料容器は、上記中皿トレーの鍔部の撓み（可撓性）を利用して、上記レフィル（中皿および中皿トレー）を簡単に交換することができる。しかも、上記中皿トレーの側部とレフィル収容凹部の側面との間に、左右（水平）方向から衝撃や揺れ等を吸収するための比較的大きな緩衝用の空間が形成されるとともに、仮に化粧料容器が上下（天地）を逆さにして蓋体側から落下した場合でも、上記中皿トレーの鍔部と側部の可撓性により、中皿が受ける振動および衝撃が吸収・緩和されるというメリットがある。
【００１７】
さらに、本発明の化粧料容器のなかでも、上記中皿トレーの鍔部が、上記側部から外側への突出幅の大きい大突出部と、突出幅が小さいかまたは零の小突出部とから構成され、上記大突出部が形成された部分の鍔部周縁の長さが、この鍔部全体の周縁の長さの１／２以下に設定されているものは、これら中皿トレーの鍔部とその周囲の上記レフィル収容凹部の側面とが接触（当接）する部位の、全体に対する割合が少なくなっている。これにより、上記中皿トレーの鍔部の可撓性がより向上するとともに、この鍔部を介した左右（水平）方向の衝撃や揺れ等が、中皿により伝達されにくくなる。
【００１８】
そして、本発明の化粧料容器は、上記中皿トレーとして、厚み０．１〜１．５ｍｍの樹脂製シートを真空成形することにより浅皿状に賦形されたものを好適に採用することができる。この薄肉で浅皿状の樹脂製中皿トレーは、成形（加工）が容易で、かつ、弾性に優れるため、衝撃や揺れ等を吸収して、これらが中皿へ伝達されるのを効果的に防ぐことができる。また、この中皿トレーは、素早く安価に製造することができ、化粧料容器の製造コストを低減することができる。
【図面の簡単な説明】
【００１９】
【図１】（ａ）は本発明の化粧料容器の構成を示す断面図であり、（ｂ）はそのＰ部拡大図、（ｃ）はそのＱ部拡大図である。
【図２】本発明の化粧料容器に用いられる一体型レフィルの平面図（ａ）と側面図（ｂ）である。
【図３】本発明の化粧料容器に用いられる中皿トレーの平面図（ａ）と側面図（ｂ）である。
【図４】本発明の化粧料容器に用いられる他の中皿トレーの形状例であり、（ａ）はその平面図、（ｂ）はその側面図である。
【図５】本発明の化粧料容器に用いられるさらに他の中皿トレーの形状例であり、（ａ）はその平面図、（ｂ）はその側面図である。
【図６】本発明の化粧料容器に用いられるさらに他の中皿トレーの形状例であり、（ａ）はその平面図、（ｂ）はその側面図である。
【図７】従来の化粧料容器の構成を説明する図である。
【図８】従来の化粧料容器の衝撃吸収構造を説明する図である。
【図９】別の従来の化粧料容器の衝撃吸収構造を説明する図である。
【発明を実施するための形態】
【００２０】
つぎに、本発明の実施の形態を、図面にもとづいて詳しく説明する。ただし、本発明は、この実施の形態に限定されるものではない。
【００２１】
図１（ａ）は、本実施形態の化粧料容器の構造を模式的に示す縦方向の断面図であり、図１（ｂ）は図１（ａ）のＰ部拡大図、図１（ｃ）は図１（ａ）のＱ部拡大図である。また、図２はこの化粧料容器に用いられている一体型レフィル（中皿２および中皿トレー４）の平面図（ａ）と側面図（ｂ）、図３は中皿トレー４単体の平面図（ａ）と側面図（ｂ）である。なお、ユーザーの操作状態を考慮して、図１における上下方向を、そのまま化粧料容器の上下（天地）方向、図１における左右および紙面表裏方向を、化粧料容器の左右（水平）方向として説明する。また、化粧料容器の容器本体１を蓋する蓋体Ｈは、符号を付記してその説明を省略する。
【００２２】
本実施形態における化粧料容器は、アイシャドウ等の固形化粧料Ｅが充填されたレフィル（中皿２等）を、交換可能に収容することのできるコンパクトケースであり、レフィル収容凹部１ａおよび化粧用具収容凹部１ｂを有する容器本体１と、固形化粧料Ｅが充填された中皿（化粧皿）２と、上記容器本体１を蓋する蓋体Ｈとを備えている。上記容器本体１と中皿２との間には、底部４ｂと、この底部４ｂの周縁部から立設された側部４ａと、この側部４ａの上端から外側に向かって延設された鍔部４ｃとからなる浅皿状の中皿トレー４が配置され、この中皿トレー４が、上記容器本体１のレフィル収容凹部１ａ内に完全に収容されている。
【００２３】
上記化粧料容器について詳しく説明すると、上記容器本体１は、樹脂製で、その上面の略中央部に、後記のレフィルを収容するためのレフィル収容凹部１ａが形成され、その左右両側に、チップやブラシ等の化粧用具を収納するための化粧用具収容凹部１ｂが設けられている。上記レフィル収容凹部１ａは、底面と側面とからなる凹状で、図１（ｂ）に示すように、その側面上端の開口縁部１ｃが、側面から内側に向かって張り出すフランジ状に形成されており、この開口縁部１ｃが、レフィルの上方への抜け出しを防止する「返し」状になっている。
【００２４】
そして、このフランジ状の開口縁部１ｃの下側に、上記中皿トレー４の鍔部４ｃが、上方向への抜け出し防止状に嵌入され、この鍔部４ｃの外縁が、上記レフィル収容凹部１ａの側面に軽接触することによって、この中皿トレー４の側部４ａとレフィル収容凹部１ａの側面との間に、緩衝用の空間Ｓ３が形成されるようになっている。これが本発明の化粧料容器の特徴である。
【００２５】
上記中皿２は、底板２ｂと周側壁２ａとからなる凹状（浅皿状）で、その凹部の中に、パウダーファンデーション等の固形化粧料Ｅが充填されている。この中皿２は、後記の中皿トレー４とホットメルト等の粘着剤３を用いて接着されることにより、図２のような、一体のレフィルとされている。すなわち、本実施形態においては、中皿２と中皿トレー４とが一体となったもの（以下「一体型レフィル」という）が、容器本体１から着脱する際の単位として取り扱われ、交換用のレフィルも、この形（一体型レフィル）で用意される。なお、中皿２としては、樹脂製または金属製のもののどちらを用いてもよい。
【００２６】
つぎに、上記容器本体１と中皿２との間に配置される中皿トレー４は、厚み０．１〜１．５ｍｍの樹脂製シートを真空成形することにより賦形されたものであり、全体として、図３（ｂ）に示すような浅皿状（トレー状）である。その側部４ａは、底部４ｂの縁部から立設され、この側部４ａの上端から外側に向かって、所定の突出幅（ｗ）の鍔部４ｃが延設されている。また、この中皿トレー４の底部４ｂは、平坦ではなく、凹凸を有する形状に賦形されており、図１（ｃ）のように、上記レフィル収容凹部１ａの底面（上面）と接触して中皿２の底板２ｂとの間に隙間Ｓ２を形成する凹部領域４ｄと、上記レフィル収容凹部１ａの底面（上面）との間に隙間Ｓ１を形成する凸部領域４ｅとが形成されている。なお、上記「凹部領域」とは、中皿トレー４の上面開口側から見た際に凹状（逆の底部側から見た場合は凸状）に見える領域を指し、「凸部領域」とは、中皿トレー４の上面開口側から見た際に凸状（逆の底部側から見た場合は凹状）に見える領域を指す。上記中皿２との接着（ホットメルト等の粘着剤３による接着）は、この凸部領域４ｅを用いて行われる。
【００２７】
また、上記中皿トレー４の鍔部４ｃは、図３（ａ）のように、上記側部４ａから外側への突出幅ｗの大きい大突出部４ｆと、突出幅が小さい（この例では零、すなわち突出していない）小突出部４ｇとから構成され、この大突出部４ｆが、上記中皿トレー４がレフィル収容凹部１ａに収容された際、上記レフィル収容凹部１ａの側面に軽く当接（軽接触）することにより、図１（ｂ）に示すように、レフィル収容凹部１ａの側面との間に、比較的大きな緩衝用の空間Ｓ３が必ず形成されるようになっている。
【００２８】
なお、上記中皿トレー４の鍔部４ｃの上面と、容器本体１のレフィル収容凹部１ａの開口縁部１ｃ下面との間にも、上下方向の緩衝用空間Ｓ４が形成されようになっている。また、この中皿トレー４が真空成形品であるため、上記鍔部４ｃの端部（先端）は、上記レフィル収容凹部１ａの側面に対する当たりの柔らかい、球面状の曲面になっている。
【００２９】
そして、中皿トレー４の鍔部４ｃにおける各大突出部４ｆの鍔部周縁方向の長さ（当接部位の長さ、Ｌ１）の合計は、鍔部４ｃ全体の周縁の長さの１／２以下に設定されており、例えば図３（ａ）の中皿トレー４の右辺のように、平面視略四角状のトレーの各辺の一辺だけを取り上げてみた場合でも、１つの大突出部４ｆの鍔部周縁方向の長さＬ１は、中皿トレー４の一辺（右辺）の長さＬ０の１／２以下になるように設定されている。
【００３０】
上記中皿トレー４を構成する樹脂としては、ポリプロピレン（ＰＰ），ポリエチレン（ＰＥ），ポリエチレンテレフタレート（ＰＥＴ）等を使用することが可能で、なかでも、ＰＥＴが好適に用いられる。この中皿トレー４の厚みは、上記樹脂の種類にも依存するが、トレーとして成形（賦形）後に、一般的には０．１〜１．５ｍｍ程度、好ましくは０．２〜１．０ｍｍになるように形成される。なお、真空成形品であるため、必ずしもトレーの全ての部位が、同じ厚みでなくても差し支えない。しかしながら、衝撃の吸収性に直接関与する、上記底部４ｂの凸部領域４ｅと、上記鍔部４ｃとは、この厚みの範囲であることが望ましい。
【００３１】
上記のような化粧料容器によれば、上記中皿２を別のものに交換する場合、上記中皿トレー４と一体になった中皿２（一体型レフィル）を、鍔部４ｃを撓ませてレフィル収容凹部１ａ内で横にずらすことにより、上記中皿２をこの中皿トレー４ごと簡単に取り出すことができる。しかも、新たなレフィルを装着する際は、予め中皿トレー４と一体になった中皿２（一体型レフィル）を準備し、その鍔部４ｃを上記レフィル収容凹部１ａの開口縁部１ｃのフランジの下側に嵌め込むようにするだけで、この一体型レフィル（すなわち、新たな中皿２）を容器本体１に容易に装着することができる。
【００３２】
また、上記化粧料容器によれば、携行時等に外部からの衝撃、例えば落下衝撃等を受けても、その衝撃が、容器本体１から直接中皿２に伝達されることがない。すなわち、上記中皿２が、中皿トレー４の底部４ｂの凸部領域４ｅにより容器本体１より浮き上がって（隙間Ｓ１，Ｓ２）支受され、さらに、この凸部領域４ｅと中皿２の底板２ｂとの間が、弾力性を有する粘着剤３を介して接着されている。そのため、容器本体１の下方向から衝撃を受けた場合でも、この衝撃は中皿２に直接作用することなく、上記中皿トレー４の撓みと粘着剤３等の弾性で緩和・吸収される。
【００３３】
また、上記中皿トレー４の鍔部４ｃにより、レフィル収容凹部１ａの側面との間に空間Ｓ３が形成されていることから、容器本体１の横（水平）方向から衝撃を受けた場合でも、この衝撃は中皿２に直接伝わらず、上記中皿トレー４の撓みにより緩和・吸収される。しかも、中皿トレー４の鍔部４ｃの上面と、容器本体１のレフィル収容凹部１ａの開口縁部１ｃ下面との間にも、上下方向の緩衝用空間Ｓ４が形成されており、容器本体１の上方向（蓋体Ｈ方向）から衝撃を受けた場合でも、この衝撃は中皿２に伝達されることはない。したがって、本実施形態の化粧料容器は、どの方向からの衝撃に対しても優れた緩衝効果を奏し、上記中皿２に充填された固形化粧料Ｅの割れ等を防止することができる。
【００３４】
なお、上記実施形態においては、中皿２と中皿トレー４とが、ホットメルト等の粘着剤３を用いて接着され、上記一体型レフィルを容器本体１から一度で着脱する例を示したが、上記レフィル（一体型）を通常の分離式とし、上記中皿トレー４（および容器本体１のレフィル収容凹部１ａ）に棒等を挿通することのできる穴等を設けて、中皿２のみを脱着するように構成してもよい。
【００３５】
つぎに、上記容器本体１と中皿２との間に配置される中皿トレー４の変形例について説明する。図４〜図６は、本発明の化粧料容器に使用される中皿トレーの他の形状例を示す図であり、各図の（ａ）はその平面図、各図の（ｂ）はその側面図である。
【００３６】
図４に示す中皿トレー５が、前記実施形態における中皿トレー４と異なる点は、側部５ａの上端に形成される鍔部５ｃ（大突出部５ｆと小突出部５ｇ）の形状が異なる点である。なお、この中皿トレー５においても、各大突出部５ｆの鍔部周縁方向の長さ（当接部位の長さ、Ｌ２）の合計は、鍔部５ｃ全体の周縁の長さの１／２以下に設定されている。例えば、図４（ａ）に記載の平面視略四角状の中皿トレー５における右辺だけに注目した場合でも、この辺における２つの大突出部５ｆ，５ｆの鍔部周縁方向の長さＬ２，Ｌ２の合計は、中皿トレー５の一辺（右辺）の長さＬ０の１／２以下になるように設定されている。その他の部位は、前記中皿トレー４と同様の構成である。
【００３７】
この形状の中皿トレー５を用いた場合でも、上記実施形態と同様の効果を奏することができる。しかも、レフィル収容凹部１ａの側面と軽接触する点（線分）が、中皿トレー５の周縁方向に分散され、上記中皿２をより安定して支持することができる。また、上記容器本体１から中皿トレー５に伝わる衝撃も、同様に周縁方向に分散される。
【００３８】
つぎに、図５に示す中皿トレー６が、前記実施形態における中皿トレー４と異なる点は、上記と同様、側部６ａの上端に形成される鍔部６ｃ（大突出部６ｆと小突出部６ｇ）の形状が異なる点に加え、その側部６ａが、上記大突出部６ｆに対応した凹凸状（凸部６ｈ，凹部６ｉ）に形成されている点である。その他の部位は、上記中皿トレー５と同様に構成されている。
【００３９】
この形状の中皿トレー６を用いた場合でも、前記実施形態と同様の効果を奏することができる。しかも、その側部６ａに凹凸形状（凸部６ｈ，凹部６ｉ）が設けられていることから、この側部６ａの剛性が向上する。したがって、この中皿トレー６（および中皿２）に作用する衝撃を、安定して受け止めることができる。
【００４０】
つぎに、図６に示す中皿トレー７が、前記実施形態における中皿トレー４と異なる点は、その底部７ｂの中央寄りに、上記レフィル収容凹部１ａの底面（上面）と接触して中皿２の底板２ｂとの間に隙間Ｓ２を形成する凹部領域７ｄが形成され、底部７ｂの縁部近傍に、上記レフィル収容凹部１ａの底面（上面）との間に隙間Ｓ１を形成する凸部領域７ｅが形成されている点である。なお、上記「凹部領域」とは、中皿トレー７の上面開口側から見た際に凹状（逆の底部側から見た場合は凸状）に見える領域を指し、「凸部領域」とは、中皿トレー７の上面開口側から見た際に凸状（逆の底部側から見た場合は凹状）に見える領域を指す。また、上記中皿２との接着（ホットメルト等の粘着剤３による接着）は、前記中皿トレー４と同様、凸部領域７ｅで行われる。
【００４１】
この形状の中皿トレー７を用いた場合でも、前記実施形態と同様の効果を奏することができる。しかも、レフィル収容凹部１ａの底面（上面）と接触する凹部領域７ｄが、容器横（水平）方向からの衝撃の伝わり易い、レフィル収容凹部１ａの縁部周辺にないため、容器横（水平）方向からの衝撃に対する耐衝撃性が、より向上するという利点がある。
【００４２】
なお、上記各実施形態においては、中皿２と中皿トレー５〜７とが、ホットメルト等の粘着剤３を用いて接着され、これら（レフィル）を容器本体１から一体に着脱する例を示したが、上記中皿トレー５〜７（および容器本体１のレフィル収容凹部１ａ）に棒等を挿通することのできる穴等を設け、中皿２のみを脱着するように構成してもよい。
【００４３】
また、上記中皿２と各中皿トレー４および５〜７との間の接着には、上記粘着剤３に代えて、スポンジ材等を挟んだ粘着テープ（すなわち、弾性を有する粘着テープ）等を用いてもよい。
【００４４】
つぎに、実際のコンパクトケースに、固形化粧料が充填された中皿を収容して、エンドユーザーが使用する状態で行った落下試験（落下衝撃試験）の結果について述べる。
【００４５】
上記落下試験は、前記実施形態と同様の構成（中皿トレー）を有する本発明のコンパクトケース「実施例」（図１参照）と、図７に示すような、中皿と、容器本体の中皿収容凹部との間に緩衝材等の配置されていないコンパクトケース「比較例」（従来品）とを用いて行い、中皿に充填された化粧料に「割れ」が生じるまでの落下回数を比較した。なお、落下回数は、１試料につき最大１００回としている。
【００４６】
［落下試験条件］
上記中皿をセットした状態で、コンパクトケースを、ＰＶＣ板の上に所定高さから落下させた。
試験１．水平落下（容器底面を下にして水平状態のまま落下）落下距離４０ｃｍ
試験２．側面落下（容器側面：縦を下にしてそのまま落下）落下距離２０ｃｍ
試験３．側面落下（容器側面：横を下にしてそのまま落下）落下距離２０ｃｍ
試験結果を、下記の「表１」に示す。
【００４７】
【表１】
2014004246.tif 000003
【００４８】
［試験結果］
容器底面を下にした水平落下試験の場合、比較例（従来品：ブランク）の平均４８回に対して、実施例（本発明品）は、平均７７回と、約６０％の耐衝撃性の性能向上が見られた。また、容器側面を下にした側面落下試験の場合、比較例（従来品）の縦方向の平均３．３回，横方向の平均４．７回に対して、実施例（本発明品）は、縦方向の平均７回，横方向の平均１０．７回と、それぞれ、２倍以上の耐衝撃性の向上が見られた。
【産業上の利用可能性】
【００４９】
本発明の化粧料容器は、アイシャドウ，ファンデーション，チーク等の固形化粧料を充填した中皿（レフィル）を内部に収容するコンパクトケース等、ユーザーが携帯して使用する化粧料容器に適する。
【符号の説明】
【００５０】
１  容器本体
１ａ  レフィル収容凹部
２  中皿
４  中皿トレー
４ａ  側部
４ｂ  底部
４ｃ  鍔部
【図１】
2014004246.tif 000004
【図２】
2014004246.tif 000005
【図３】
2014004246.tif 000006
【図４】
2014004246.tif 000007
【図５】
2014004246.tif 000008
【図６】
2014004246.tif 000009
【図７】
2014004246.tif 000010
【図８】
2014004246.tif 000011
【図９】
2014004246.tif 000012